(57)【要約】【課題】過去項目と未来項目を一度に閲覧可能とし、かつ項目管理の利便性を向上させる。【解決手段】情報端末装置５０は、提示部５１と、契機検出部５２と、制御部５３とを備えている。提示部５１は、時間情報が関連付けられた未来項目と過去項目とを、それぞれの時間情報に基づいて、現在時刻を示す現在時刻表示欄を境界に分割された各領域に時系列に並べて提示する。契機検出部５２は、未来項目と過去項目とを制御する契機を検出する。制御部５３は、契機検出部５２によって契機が検出されると、未来項目と過去項目との登録、削除、移動、編集、提示方法を制御する。【選択図】図１０
2014064863.tif 000002
【特許請求の範囲】
【請求項１】
時間情報が関連付けられた未来項目と過去項目とを、それぞれの時間情報に基づいて、現在時刻を示す現在時刻表示欄を境界に分割された各領域に時系列に並べて提示する提示部と、
前記未来項目と前記過去項目とを制御する契機を検出する契機検出部と、
前記契機検出部によって契機が検出されると、前記未来項目と前記過去項目との登録、削除、移動、編集、提示方法を制御する制御部と
を備えることを特徴とする情報端末装置。
【請求項２】
前記契機検出部は、前記計時部から取得した現在時刻が前記未来項目のいずれかの時刻情報に対する時刻に達したことを、前記未来項目と前記過去項目とを制御する契機として検出する
ことを特徴とする請求項１に記載の情報端末装置。
【請求項３】
前記制御部は、特定の過去項目に対して、予め設定された時間後の未来項目として登録する
ことを特徴とする請求項１または２に記載の情報端末装置。
【請求項４】
前記制御部は、前記提示部によって前記現在時刻表示欄と過去項目とが提示されている状態において現在時刻の所定時間内に前記未来項目が存在する場合、その旨を提示する
ことを特徴とする請求項１から３のいずれかに記載の情報端末装置。
【請求項５】
表示部と、
ユーザ操作を受け付ける操作部とを更に備え、
前記提示部は、前記過去項目と前記未来項目とを、それぞれの時間情報に基づいて前記現在時刻表示欄を境界に分割された各領域に時系列に並べて前記表示部に表示し、ユーザによって前記操作部を介してスクロール操作が行われると、前記現在時刻表示欄と前記分割された各領域に表示される前記過去項目、及び前記未来項目とを時系列に並べた状態で、画面上でスクロール表示し、
前記制御部は、前記過去項目と前記未来項目とが前記表示部に表示される際に、前記スクロール表示によって、前記現在時刻表示欄が前記表示部の画面の端に達した場合には、前記現在時刻表示欄をそこに留め、それ以外の前記過去項目、または／及び前記未来項目をスクロールさせることにより、常に前記現在時刻表示欄を画面上に残す
ことを特徴とする請求項１から４のいずれかに記載の情報端末装置。
【請求項６】
時間情報が関連付けられた未来項目と過去項目とを、それぞれの時間情報に基づいて、現在時刻を示す現在時刻表示欄を境界に分割された各領域に時系列に並べて提示するステップと、
前記未来項目と前記過去項目とを制御する契機を検出するステップと、
前記契機が検出されると、前記未来項目と前記過去項目との登録、削除、移動、編集、提示方法を制御するステップと
を含むことを特徴とする時系列情報管理方法。
【請求項７】
コンピュータに、
時間情報が関連付けられた未来項目と過去項目とを、それぞれの時間情報に基づいて、現在時刻を示す現在時刻表示欄を境界に分割された領域に時系列に並べて提示する提示機能、
前記未来項目と前記過去項目とを制御する契機を検出する契機検出機能、
前記契機が検出されると、前記未来項目と前記過去項目との登録、削除、移動、編集、提示方法を制御する制御機能
を実行させることを特徴とするプログラム。
【発明の詳細な説明】
【技術分野】
【０００１】
本発明は、情報処理装置、時系列情報管理方法、及びプログラムに関する。
【背景技術】
【０００２】
従来から、携帯電話やスマートフォン、ＰＤＡ（Ｐｅｒｓｏｎａｌ  Ｄｉｇｉｔａｌ  Ａｓｓｉｓｔａｎｔ）などの情報処理装置において、複数種類のコンテンツとして、例えば、送受信メール（送受信日時、メール、未読／既読）、撮影画像（撮影日時、撮影場所等）、スケジュール（日時、イベント内容、場所等）、（不在）着信（着信日時、発信者情報）、発信（発信日時、相手情報）などを時系列に提示する機能が知られている。【０００３】
例えば、特許文献１〜５には、送受信メール（送受信日時、メール、未読／既読）、撮影画像（撮影日時、撮影場所等）、スケジュール（日時、イベント内容等）、（不在）着信（着信日時、発信者情報）などを、カレンダ上やタイムライン上に表示する技術が提案されている。
【先行技術文献】
【特許文献】
【０００４】
【特許文献１】特開２００９−０４８３１０号公報
【特許文献２】特開２００７−０８２１９０号公報
【特許文献３】特開２００７−２９９２９６号公報
【特許文献４】特開２００５−２５０６０５号公報
【特許文献５】特開２００１−２０２３４０号公報
【発明の概要】
【発明が解決しようとする課題】
【０００５】
しかしながら、上記特許文献１〜５の従来技術では、現時点より過去の項目である過去項目を閲覧する機能や、現時点より未来の項目である未来項目を、カレンダ上やタイムライン上に表示するような機能はあったが、時間経過に伴って、未来項目が過去項目になったり、過去項目（のイベント等）が達成されなかったりした場合に、過去項目、あるいは未来項目に対して適切な処理を行なうような使いやすく統合された、項目管理を行う機能がなかった。このため、ユーザが、過去項目の削除、再設定、検索等、煩わしい操作を強いられていたという問題があった。【０００６】
そこで本発明は、過去項目と未来項目を一度に閲覧することができ、かつ項目管理の利便性を向上させることができる情報処理装置、時系列情報管理方法、及びプログラムを提供することを目的とする。
【課題を解決するための手段】
【０００７】
本発明の情報端末装置は、時間情報が関連付けられた未来項目と過去項目とを、それぞれの時間情報に基づいて、現在時刻を示す現在時刻表示欄を境界に分割された各領域に時系列に並べて提示する提示部と、前記未来項目と前記過去項目とを制御する契機を検出する契機検出部と、前記契機検出部によって契機が検出されると、前記未来項目と前記過去項目との登録、削除、移動、編集、提示方法を制御する制御部とを備えることを特徴とする情報端末装置である。【０００８】
本発明の時系列情報管理方法は、時間情報が関連付けられた未来項目と過去項目とを、それぞれの時間情報に基づいて、現在時刻を示す現在時刻表示欄を境界に分割された各領域に時系列に並べて提示するステップと、前記未来項目と前記過去項目とを制御する契機を検出するステップと、前記契機が検出されると、前記未来項目と前記過去項目との登録、削除、移動、編集、提示方法を制御するステップとを含むことを特徴とする時系列情報管理方法である。【０００９】
本発明のプログラムは、コンピュータに、時間情報が関連付けられた未来項目と過去項目とを、それぞれの時間情報に基づいて、現在時刻を示す現在時刻表示欄を境界に分割された各領域に時系列に並べて提示する提示機能、前記未来項目と前記過去項目とを制御する契機を検出する契機検出機能、前記契機が検出されると、前記未来項目と前記過去項目との登録、削除、移動、編集、提示方法を制御する制御機能を実行させることを特徴とするプログラムである。
【発明の効果】
【００１０】
この発明によれば、過去項目と未来項目を一度に閲覧することができ、かつ項目管理の利便性を向上させることができる。
【図面の簡単な説明】
【００１１】
【図１】本発明の実施形態による情報処理装置１の構成を示すブロック図である。
【図２】本実施形態による情報処理装置１の動作（項目表示動作）を説明するためのフローチャートである。
【図３】本実施形態による情報処理装置１での項目表示画面の一例を示す模式図である。
【図４】本実施形態による情報処理装置１でのスクロール動作での画面の一例を示す模式図である。
【図５】本実施形態による情報処理装置１での未来項目報知時の画面の一例を示す模式図である。
【図６】本実施形態による情報処理装置１での項目管理動作を説明するためのフローチャートである。
【図７】本実施形態による情報処理装置１での項目管理動作を説明するためのフローチャートである。
【図８】本実施形態による情報処理装置１での項目管理動作時の画面の一例を示す模式図である。
【図９】本実施形態による情報処理装置１での項目管理動作時の画面の一例を示す模式図である。
【図１０】付記１の構成図である。
【発明を実施するための形態】
【００１２】
以下、本発明の実施の形態を、図面を参照して説明する。
【００１３】
図１は、本発明の実施形態による情報処理装置１の構成を示すブロック図である。図において、情報処理装置１は、通信部１０、撮影部１１、メモリ１２、表示部１３、操作部１４、ＲＴＣ（Ｒｅａｌ  Ｔｉｍｅ  Ｃｌｏｃｋ）１５、及び制御部１６から構成されている。通信部１０は、音声通信や、メール送受信を含むデータ通信を行う。撮影部１１は、静止画や動画を撮影する。メモリ１２は、ＲＡＭやＲＯＭからなり、当該装置の動作を制御するためのプログラムや各種データ、あるいは電話帳やスケジュール、各種コンテンツ（メールや静止画、動画、ネットワークを介してダウンロードしたファイルなど）を保持する。なお、上記ＲＯＭ、ＲＡＭは、フラッシュメモリ等の書き換え可能な不揮発性メモリであってもよい。
【００１４】
表示部１３は、液晶表示器や有機ＥＬ表示器などからなり、制御部１６の制御に従って、各種情報、特に本実施形態では、スケジュールやイベントなどの項目を時系列で表示する。なお、項目とは、タイムライン機能が対象とする項目であり、例えば、ユーザの通話履歴、ユーザが撮影した写真、ユーザ宛てのメール、ユーザの知り合いの投稿、ユーザの予定、その他の予定情報等である。そして、現在に対して過去の項目を過去項目、未来の項目を未来項目という。ゆえに、項目には、少なくともその時間情報が関連付けられて保持される。操作部１４は、当該装置に対する動作やデータを入力するための各種キースイッチからなる。なお、該操作部１４は、表示部１３の画面上に配設されたタッチパネルでもよく、ユーザの指、ペンなどによるタッチ操作を検出するようにしてもよい。ＲＴＣ１５は、現在時刻を計時する。
【００１５】
制御部１６は、上記メモリ１２に保持されている所定のプログラムを実行することにより当該装置の動作を制御する。特に、本実施形態では、制御部１６は、過去項目、未来項目（通話履歴、メール履歴、撮影履歴、スケジュール等）を一括して時系列に提示する。より具体的には、制御部１６は、現在時刻を示す現在時刻表示欄の上下に未来項目、過去項目を分けて時系列に表示する。例えば、現在時刻表示欄の下側に過去項目を表示し、現在時刻表示欄の上側に未来項目を表示する。
【００１６】
言い換えると、制御部１６は、現在時刻に基づいて、該現在時刻を表示するための現在時刻表示欄の表示位置を随時変更することで、常に、過去項目と未来項目とを上下に時系列に配置するようになっている。その逆に、現在時刻表示欄の上側に過去項目を表示し、現在時刻表示欄の下側に未来項目を表示してもよい。なお、ユーザ自身に関連する項目は左寄りに、ユーザ以外の人に関連する項目や一般的な項目は右寄りに表示するようにしてもよい。
【００１７】
また、制御部１６は、過去項目、未来刻目の表示において、ユーザがスクロール操作を行ったときに、現在時刻表示欄が画面の端に達した場合には、そこに現在時刻表示欄を留め、それ以外の情報をスクロールさせることにより、常に現在時刻表示欄を画面上に残すように表示部１３における表示を制御する。また、制御部１６は、現在時刻が未来項目のいずれかの項目に対応する時刻に達したときに、該当未来項目に対する処理（過去項目への移動、過去項目に対する未来項目の登録、項目の削除、アラーム設定、項目内容に関するリンク先の提示等）を制御する。
【００１８】
また、制御部１６は、特定の過去項目（不在着信や受信メールなど）に対してユーザからの選択情報（後で電話する、後で返信する等）が入力されると（自動的に選択してもよい）、予め設定された時間後（３０分後等）の未来項目として登録する。また、制御部１６は、表示部１３に表示画面に現在時刻と過去項目だけが表示された状態において（現在時刻表示欄が表示画面の端に固定された状態において）、所定時間内に予定されている未来項目が存在するかを検索し、該当未来項目が存在する場合には、その旨を表示する。なお、制御部１６は、過去項目、未来項目の表示に際し、ユーザ自身に関する情報とそれ以外の情報を区別して表示部１３に表示する（例えば、ユーザ自身の情報は左寄り、それ以外の情報は右寄り等）ようにしてもよい。
【００１９】
次に、上述した実施形態の動作について説明する。
図２は、本実施形態による情報処理装置１の動作（項目表示動作）を説明するためのフローチャートである。まず、制御部１６は、ユーザによって操作部１４から項目表示指示操作があったか否かを判定する（ステップＳ１０）。そして、ユーザによる項目表示指示操作がなかった場合には（ステップＳ１０のＮＯ）、当該処理を終了する。一方、ユーザによる項目表示指示操作があった場合には（ステップＳ１０のＹＥＳ）、制御部１６は、ＲＴＣ１５から現在時刻を取得する（ステップＳ１２）。次に、現在時刻を表示する現在時刻表示欄の上下に、過去項目、未来項目を時系列に並べて表示部１３に表示する（ステップＳ１４）。ここでは、現在時刻表示欄の上側に未来項目、下側に過去項目を表示するものとする。なお、前回の項目表示時における配置を保持しておき、その配置で表示するようにしてもよい。
【００２０】
次に、制御部１６は、ユーザにより操作部１４を介してタッチ操作によるスクロール操作があったか否かを判定する（ステップＳ１６）。そして、スクロール操作がない場合には（ステップＳ１６のＮＯ）、ユーザによって操作部１４から項目表示終了指示操作があったか否かを判定する（ステップＳ１８）。そして、ユーザによる項目表示終了指示操作がない場合には（ステップＳ１８のＮＯ）、ステップＳ１６に戻る。一方、ユーザによる項目表示終了指示操作があった場合には（ステップＳ１８のＹＥＳ）、表示部１３の表示を消去するなどして当該処理を終了する。
【００２１】
一方、スクロール操作があった場合には（ステップＳ１６のＹＥＳ）、表示部１３の所定のスクロール領域を用いて、スライド操作（スライド操作量、スライド速度、スライド方向等）に応じて、時系列に並べて表示されている項目（現在時刻表示欄、過去項目、及び未来項目）をスクロールする（ステップＳ２０）。このスクロール動作は、現在時刻表示欄の表示位置に応じて制御される。詳細は後述する。
【００２２】
次に、現在時刻表示欄の表示位置が画面端（上端または下端）であるか否かを判定する（ステップＳ２２）。そして、現在時刻表示欄の表示位置が画面端（上端または下端）にない場合には（ステップＳ２２のＮＯ）、ステップＳ１６に戻り、スクロール動作を継続する。この場合には、表示部１３の全表示領域を用いて、現在時刻表示欄、過去項目、及び未来項目をスクロールする。
【００２３】
一方、スクロールした結果、現在時刻表示欄の表示位置が画面端（上端または下端）に達した場合には（ステップＳ２２のＹＥＳ）、現在時刻表示欄の表示位置を画面端に固定する（ステップＳ２４）。すなわち、現在時刻表示欄の表示位置が上端に達した場合には、現在時刻表示欄の表示位置を画面の上端に固定し、現在時刻表示欄の表示位置が下端に達した場合には、現在時刻表示欄の表示位置を画面の下端に固定する。
【００２４】
次に、現在時刻表示欄の表示位置が画面の上端で、かつ現在時刻から所定の時間範囲内に未来項目があるか否かを判定する（ステップＳ２６）。そして、現在時刻表示欄の表示位置が画面の上端でない場合、あるいは、現在時刻表示欄の表示位置が画面の上端であるものの、現在時刻から所定の時間範囲内に未来項目がない場合には（ステップＳ２６のＮＯ）、ステップＳ１６に戻り、スクロール動作を継続する。
【００２５】
このように、現在時刻表示欄の表示位置が画面の上端であるものの、現在時刻から所定の時間範囲内に未来項目がない場合には、現在時刻表示欄の下側は、全て過去項目の表示領域となる。ゆえに、この場合、画面の上端に固定された現在時刻表示欄の表示領域を除く表示領域をスクロール領域として、現在時刻表示欄を上端に固定したまま、スライド操作（スライド操作量、スライド速度、スライド方向等）に応じて、時系列に並べて表示されている過去項目をスクロールする。
【００２６】
また、現在時刻表示欄の表示位置が画面の上端でない場合、すなわち画面の下端である場合には、現在時刻表示欄の上側は、全て未来項目の表示領域となる。ゆえに、この場合、画面の下端に固定されている現在時刻表示欄の表示領域を除く表示領域をスクロール領域として、現在時刻表示欄を下端に固定したまま、スライド操作（スライド操作量、スライド速度、スライド方向等）に応じて、時系列に並べて表示されている未来項目をスクロールする。
【００２７】
一方、現在時刻表示欄の表示位置が画面の上端で、かつ現在時刻から所定の時間範囲内に未来項目がある場合には（ステップＳ２６のＹＥＳ）、現在時刻表示欄の表示領域に、未来項目があることを報知する（ステップＳ２８）。すなわち、この場合、画面の上端に現在時刻表示欄を固定し、現在時刻表示欄を除くスクロール領域で、時系列に並べて表示されている過去項目をスクロールすることになる。このため、未来項目は、表示部１３の画面上に表示されない。そこで、現在時刻表示欄の表示領域に未来項目があることを報知することでユーザに未来項目があることを認知させる。その後、ステップＳ１４に戻り、スクロール動作を継続する。
【００２８】
この場合、表示部１３の画面の上端に固定された現在時刻表示欄の表示領域を除く表示領域をスクロール領域として、現在時刻表示欄を上端に固定したまま、スライド操作（スライド操作量、スライド速度、スライド方向等）に応じて、時系列に並べて表示されている過去項目をスクロールする。
【００２９】
図３（ａ）、（ｂ）は、本実施形態による情報処理装置１での項目表示画面の一例を示す模式図である。図３（ａ）には、最上端に現在時刻表示欄３０が表示されており、その下側には過去項目３１が時系列で表示されている。過去項目３１としては、現在時刻（１５：３４）に近い順に、メール着信（１５：２０ＰＭ）、発信履歴（ｘｘｘｘさんに電話、１５：２０ＰＭ）、不在着信（１４：４６ＰＭ）、撮影（１２：３０ＰＭ）、投稿履歴（１１：５２ＰＭ）、…が表示されている。なお、撮影写真の欄には、撮影した写真のサムネイルも表示されるようになっている。
【００３０】
また、図３（ｂ）には、ほぼ中央に現在時刻表示欄３０が表示されている。この場合、現在時刻表示欄３０の下側には、図３（ａ）と同様に、過去項目３１が時系列で表示されており、現在時刻表示欄３０の上側には、未来項目３２が時系列で表示されている。未来項目３２としては、現在時刻（１５：３４）に近い順に、イベント（サッカーｙｙｙ  ｖｓ  ｚｚｚ、１９：００ＰＭ）、スケジュール（レポート期限；２０１２／５／１７（木））、スケジュール（オフ会（渋谷）、２０１２／５／１８（金）、１７：００ＰＭ）、スケジュール（ミーティング（品川）、１０：００ＡＭ）が表示されている。
【００３１】
図４（ａ）、（ｂ）は、本実施形態による情報処理装置１でのスクロール動作（図２のステップＳ２０〜Ｓ２４）での画面の一例を示す模式図である。図４（ａ）に示すように、画面の下端に現在時刻表示欄３０、その上側に未来項目３２が表示された状態で（図示の左側）、ユーザが下から上にスライド操作を行うと（白い矢印）、現在時刻表示欄３０の下方に過去項目３１、上方に未来項目３２が時系列に並んだ状態で、各項目を連動させて、画面全体を用いて上方向へスクロールする（図示の中央）。
【００３２】
そして、現在時刻表示欄３０が上端に達すると、現在時刻表示欄３０を上端に固定した状態で、現在時刻表示欄３０以外の表示領域で過去項目３１を時系列で上下方向にスクロールする（図示の右側）。また、現在時刻表示欄３０を上端に固定した状態で、下方向のスクロールによって、過去項目３１の上端が現在時刻表示欄３０の下端に達すると（全ての過去項目３１が下側にスクロールされると）、現在時刻表示欄３０を、再び、全体に連動させてスクロールする（後述する図４（ｂ）の左側、中央の状態）。
【００３３】
一方、図４（ｂ）に示すように、画面の上端に現在時刻表示欄３０、その下側に過去項目３１が表示された状態で（図示の左側）、ユーザが上から下にスライド操作を行うと（白い矢印）、現在時刻表示欄３０の下側に過去項目３１、上側に未来項目３２が時系列に並んだ状態で、各項目を連動させて、画面全体を用いて下方向へスクロールする（図示の中央）。
【００３４】
そして、現在時刻表示欄３０が下端に達すると、現在時刻表示欄３０を下端に固定した状態で、現在時刻表示欄３０以外の表示領域で未来項目３２を時系列で上下方向にスクロールする（図示の右側）。また、現在時刻表示欄３０を下端に固定した状態で、上方向のスクロールによって、未来項目３２の下端が現在時刻表示欄３０の上端に達すると（全ての未来項目３２が下側にスクロールされると）、現在時刻表示欄３０を、再び、全体に連動させてスクロールする（図４（ａ）の左側、中央の状態）。
【００３５】
上述したように、本実施形態では、どんなにスクロールしても、現在時刻を示す現在時刻表示欄３０を画面上に残すようにスクロールを制御する。つまり、現在時刻表示欄３０が画面の上端または下端に達した場合には、現在時刻表示欄３０をそこに固定し、それ以外の表示領域で過去項目３１、または未来項目３２をスクロールさせる。
【００３６】
なお、どのような時でも現在時刻表示欄３０をタップした後にスクロール操作すると、現在時刻周辺の項目を表示させてからスクロールするようにしてもよい。
【００３７】
図５は、本実施形態による情報処理装置１での未来項目報知時（図２のステップＳ２８）の画面の一例を示す模式図である。図５に示すように、現在時刻表示欄３０が上端に固定された状態で、かつ現在時刻から所定の時間範囲内に未来項目がある場合には、現在時刻表示欄３０の表示領域に、未来項目があることを示すメッセージ４０を表示する。上述したように、表示画面の上端に現在時刻表示欄３０を固定した場合には、現在時刻表示欄３０を除く表示領域で、時系列に並べて表示されている過去項目３１をスクロールすることになるので、未来項目３２があったとしても、表示部１３の画面上に表示されない。そこで、現在時刻表示欄３０の表示領域に未来項目３２があること示すメッセージ４０を表示することでユーザに認知させることができる。
【００３８】
なお、未来項目３２があることを示すメッセージ４０に加えて、直近の未来項目３２に関連付けられている日時情報を表示するようにしてもよい。また、この際、ユーザ自身に関連する未来項目３２であれば、左寄りに表示し、ユーザ以外の人に関連する未来項目３２や、一般的な未来項目３２であれば、右寄りに表示するようにしてもよい。
【００３９】
図６、及び図７は、本実施形態による情報処理装置１での項目管理動作を説明するためのフローチャートである。また、図８、及び図９は、本実施形態による情報処理装置１での項目管理動作時の画面の一例を示す模式図である。図６、及び図７に示すフローチャートは、所定の時間間隔で、図２に示すフローチャートの実行と並行して実行されるか、あるいは、図２に示すフローチャートのサブルーチンとして所定のタイミングで実行されてもよい。
【００４０】
まず、制御部１６は、ＲＴＣ１５から現在時刻を取得する（ステップＳ４０）。次に、過去項目３１、及び未来項目３２を検索し（ステップＳ４２）、現在時刻を中心とする所定の時間範囲に該当する項目があるか否かを判定する（ステップＳ４４）。すなわち、現在時刻が未来項目３２に関連付けられている予定時刻（または予定期間）に達した未来項目３２があるか否か、あるいは過去項目３１に関連付けられている時刻が現在時刻を過ぎた過去項目３１があるか否か判定する。
【００４１】
そして、現在時刻を中心とする所定の時間範囲に該当する項目がない場合には（ステップＳ４４のＮＯ）、全て検索したか否かを判定し（ステップＳ５８）、まだ検索していない項目がある場合には（ステップＳ５８のＮＯ）、ステップＳ４２に戻り、同様の処理を繰り返す。
【００４２】
一方、現在時刻を中心とする所定の時間範囲に該当する項目があった場合には（ステップＳ４４のＹＥＳ）、該当する項目に場所情報が紐付けられているか否かを判定する（ステップＳ４６）。そして、該当する項目に場所情報が紐付けられている場合には（ステップＳ４６のＹＥＳ）、現在、その場所にいるか否かを判定する（ステップＳ４８）。ここで、現在、その場所にいる場合には（ステップＳ４８のＹＥＳ）、該当項目の予定が果たされると判定し、該当項目を削除する（ステップＳ５０）。その後、全て検索したか否かを判定し（ステップＳ５８）、まだ検索していない項目がある場合には（ステップＳ５８のＮＯ）、ステップＳ４２に戻り、同様の処理を繰り返す。
【００４３】
一方、現在、その場所にいない場合には（ステップＳ４８のＮＯ）、該当項目の予定が果たされていないと判定し、該当項目を残し、アラームをユーザに提示（アラーム音の鳴動、バイブレータの駆動など）する（ステップＳ５２）。その後、全て検索したか否かを判定し（ステップＳ５８）、まだ検索していない項目がある場合には（ステップＳ５８のＮＯ）、ステップＳ４２に戻り、同様の処理を繰り返す。
【００４４】
例えば、未来項目３２の１つに、知り合いと会う約束の日時と会う場所とが登録されているとする。つまり、未来項目３２に場所情報が紐付けられている。この場合、現在時刻がその未来項目３２に関連付けられる日時に達すると、実際に、その会う場所にいる場合には、会う約束が果たされる（果たされた）と判定し、その未来項目３２を削除する。一方、その場所にいない場合には、会う約束が果たされていないと判定し、その未来項目３２を残し、アラームをユーザに提示する。
【００４５】
あるいは、その場所にいる場合には、その未来項目３２を過去項目３１として残し、その場所にいない場合には、その未来項目３２を削除するなど、様々な仕様であってよい。なお、現在位置は、ＧＰＳ（Ｇｌｏｂａｌ  Ｐｏｓｉｔｉｏｎｉｎｇ  Ｓｙｓｔｅｍ）を用いて取得した位置情報や、通信システムの中継局などの位置情報を用いることで知ることができる。
【００４６】
一方、現在時刻を中心とする所定の時間範囲に該当する項目があるものの（ステップＳ４４のＹＥＳ）、該当する項目に場所情報が紐付けられていない場合には（ステップＳ４６のＮＯ）、該当項目にリンク情報（の情報元情報；ＵＲＬなど）が紐付けられているか否かを判定する（ステップＳ５４）。そして、該当項目にリンク情報が紐付けられている場合には（ステップＳ５４のＹＥＳ）、リンク情報を取得し、該当項目の表示欄に表示する（ステップＳ５６）。
【００４７】
例えば、ユーザが注目する商品・サービスの発売日・開始日、またはイベントが未来項目３２として登録されていて、現在時刻がその未来項目３２に関連付けられる期間に達した場合、その商品・サービス、またはイベントに関する最新ニュースへのリンクを提示するようにしてもよい。この場合、関連する機能（ブラウザアプリ等）が最新ニュースを検出した時点でリンクを提示してもよい。また、提示するリンクは、１つに限らず、複数であってもよい。
【００４８】
図８には、未来項目３２の１つとして、サッカーの試合（ｙｙｙ  ｖｓ  ｚｚｚ、１９：００ＰＭ）が登録されており、現在時刻が当該未来項目３２ａに関連付けられている日時に達すると（あるいは過ぎると）、未来項目３２ａを過去項目３１ａとし、そのサッカーの試合に関する最新ニュース（＜速報＞前半終了、ｚｚｚ２得点）を、ネットワークなどを介して取得して表示する様子を示している。なお、実際には、現在時刻表示項目３０の挿入位置を現在時刻に従って随時更新することで、未来項目３２ａは自動的に過去項目３１ａとなるので、当該未来項目３２ａを残しておけばよい。
【００４９】
その後、全て検索したか否かを判定し（ステップＳ５８）、まだ検索していない項目がある場合には（ステップＳ５８のＮＯ）、ステップＳ４２に戻り、同様の処理を繰り返す。一方、全て検索した場合には、当該処理を終了する。
【００５０】
一方、現在時刻を中心とする所定の時間範囲に該当する項目があるものの（ステップＳ４４のＹＥＳ）、場所情報がなく（ステップＳ４６のＮＯ）、かつリンク情報もない場合には（ステップＳ５４のＮＯ）、該当項目が未来項目３２として登録が必要であるか否かを判定する（図７のステップＳ６０）。未来項目３２として登録要であるとは、例えば、項目が不在着信や、メール着信など、こちらから応答が必要になるような項目である。
【００５１】
そして、不在着信や、メール着信などの未来項目３２として登録要の項目があった場合には（ステップＳ６０のＹＥＳ）、当該項目が未来項目３２として既に登録済であるか否かを判定する（ステップＳ６２）。そして、当該項目が未来項目３２として登録済でない場合には（ステップＳ６２のＮＯ）、ユーザが忘れないように、当該項目を未来項目３２として登録する（ステップＳ６４）。なお、登録要であるか否かについては、項目の種類（不在着信や、メール着信など）に応じて自動的に決定してもよいが、これに限らず、ユーザに選択させるようにしてもよい。その後、全て検索したか否かを判定し（ステップＳ５８）、まだ検索していない項目がある場合には（ステップＳ５８のＮＯ）、ステップＳ４２に戻り、同様の処理を繰り返す。一方、全て検索した場合には、当該処理を終了する。
【００５２】
例えば、通話の不在着信があった場合には、不在着信があったことをその時刻情報とともに登録する。この項目は、図９（ａ）に示すように、時間の経過に伴って、過去項目３１ｂ（不在着信  ｆｒｏｍ  ｘｘｘｘ、１４：４６ＰＭ）として表示されることになる。図示の例では、過去項目３１ｂに対して、いますぐ電話するか、後で電話するかを選択させる場合を示し、ポップアップウィンドウなどで、「電話する」、「後で電話する」の選択肢を表示している。ここで、ユーザが「電話する」を選択（タッチ）した場合には、未来項目３２ｂとして登録することなく、すぐに発呼処理へ進む。これに対して、ユーザが「後で電話する」を選択（タッチ）した場合には、図９（ｂ）に示すように、ユーザが忘れないように、後で相手に電話するための「ｘｘｘｘさんに電話、１５：４４ＰＭ」というような未来項目３２ｂとして登録する。
【００５３】
この際、未来項目３２ｂの時刻は、現在時刻からの固定値（例えば、１０分後）であってもよいし、複数の固定値（１０分後、２０分後、３０分後）から選択可能としてもよい。また、未来項目３２ｂの時刻をユーザにより任意に設定できるようにしてもよい。
【００５４】
なお、登録設定が完了したら、当該未来項目３２ｂを示す画像が、過去項目３１ｂの位置から、当該未来項目３２ｂが表示される位置へ移動していくようなアニメーションを表示するようにしてもよい。
【００５５】
また、登録要の項目については、電話をするための未来項目に限らず、受信したメッセージを後で読むための未来項目、受信したメッセージに返事を書くための未来項目、撮影した写真を後で投稿するための未来項目など、過去項目に関する未来項目であれば、何でも良い。
【００５６】
さらに、上述したように未来項目３２ｂを登録した後、最初に当該未来項目３２ｂを表示させるための操作（スクロール）を行なうと、直接、当該未来項目３２ｂの位置に飛んでもよい。その後、反対方向にスクロールすると、直接、現在時刻を表示する現在時刻表示欄３０の位置に戻ってもよい。
【００５７】
また、上述したように未来項目３２ｂを登録した後、所定時間以内に当該未来項目３２ｂを表示させるための操作（スクロール）を行なうと、直接、当該未来項目３２ｂの位置に飛んでもよい。
【００５８】
上述した実施形態によれば、時間情報が関連付けられた未来項目と過去項目とを、それぞれの時間情報に基づいて、現在時刻を示す現在時刻表示欄の上下に分けて時系列に並べて提示し、これら未来項目と過去項目とを制御する契機が検出されると、未来項目と過去項目との登録、削除、移動、編集、提示方法を制御するようにしたので、現在時刻を認知させつつ、過去項目と未来項目を一度に閲覧することができ、所定の契機で、未来項目と過去項目が適切に処理されるので、項目管理の利便性を向上させることができる。
【００５９】
また、本実施形態によれば、現在時刻が未来項目のいずれかの時刻情報に対する時刻に達したことを、未来項目と過去項目とを制御する契機としたので、未来項目と過去項目が適切に時期に処理されるので、項目管理の利便性を向上させることができる。
【００６０】
また、本実施形態によれば、特定の過去項目を、予め設定された時間後の未来項目として登録するようにしたので、ユーザが忘れてしまうことを防止する備忘録として利用することができる。
【００６１】
また、本実施形態によれば、現在時刻表示欄と過去項目とが提示されている状態において現在時刻の所定時間内に未来項目が存在する場合、その旨を提示するようにしたので、未来項目が提示されていない状況であっても、ユーザに未来項目があることを認知させることができる。
【００６２】
また、本実施形態によれば、過去項目と未来項目とを、それぞれの時間情報に基づいて現在時刻表示欄の上下に分けて時系列に並べて表示し、ユーザによってスクロール操作が行われると、現在時刻表示欄とその上下に分けて表示される過去項目、及び未来項目とを時系列に並べた状態で、画面上でスクロール表示し、現在時刻表示欄が画面の端に達した場合には、現在時刻表示欄をそこに留め、それ以外の過去項目、または／及び未来項目をスクロールさせることにより、常に現在時刻表示欄を画面上に残すようにしたので、現在時刻を認知させつつ、過去項目と未来項目を容易に閲覧することができる。
【００６３】
なお、上述した本実施形態では、現在時刻表示欄とその上下に分けて過去項目、及び未来項目とを時系列に並べた状態で表示するようにしたが、これに限らず、左右や斜めであってもよい。すなわち、現在時刻表示欄を境界に分割した各領域に過去項目、及び未来項目を時系列に並べた状態で表示するようにしてもよい。
【００６４】
また、上述した本実施形態は、時系列で管理可能な情報を処理する機器であれば、例えば、撮影画像を撮影日時に関連付けて管理するデジタルカメラや、スケジュールなどを管理する携帯電話、スマートフォン、ＰＤＡ、タブレット端末、パーソナルコンピュータ、通信機、その他の電子機器等にも幅広く適用できる。
【００６５】
この出願は、２０１２年１０月２２日に出願された日本出願特願２０１２−２３２６９２号を基礎とする優先権を主張し、その開示を全てここに取り込む。
【００６６】
以下、本発明の特徴を付記する。
上記の実施形態の一部又は全部は、以下の付記のようにも記載されうるが、以下には限られない。
（付記１）
図１０は、付記１の構成図である。なお、図１０と図１との対応について説明する。図１０に示す提示部５１は、図１の表示部１３に相当し、図１０の契機検出部５２は、図１の制御部１６の一機能に相当し、図１０の制御部５３は、図１の制御部１６の一機能に相当する。
【００６７】
この図に示すように、付記１記載の発明は、
時間情報が関連付けられた未来項目と過去項目とを、それぞれの時間情報に基づいて、現在時刻を示す現在時刻表示欄を境界に分割された各領域に時系列に並べて提示する提示部５１と、
前記未来項目と前記過去項目とを制御する契機を検出する契機検出部５２と、
前記契機検出部によって契機が検出されると、前記未来項目と前記過去項目との登録、削除、移動、編集、提示方法を制御する制御部５３と
を備えることを特徴とする情報端末装置５０である。
【００６８】
（付記２）
前記契機検出部は、前記計時部から取得した現在時刻が前記未来項目のいずれかの時刻情報に対する時刻に達したことを、前記未来項目と前記過去項目とを制御する契機として検出することを特徴とする付記１に記載の情報端末装置である。
【００６９】
（付記３）
前記制御部は、特定の過去項目に対して、予め設定された時間後の未来項目として登録することを特徴とする付記１または２に記載の情報端末装置である。
【００７０】
（付記４）
前記制御部は、前記提示部によって前記現在時刻表示欄と過去項目とが提示されている状態において現在時刻の所定時間内に前記未来項目が存在する場合、その旨を提示することを特徴とする付記１から３のいずれかに記載の情報端末装置である。
【００７１】
（付記５）
表示部と、ユーザ操作を受け付ける操作部とを更に備え、前記提示部は、前記過去項目と前記未来項目とを、それぞれの時間情報に基づいて前記現在時刻表示欄を境界に分割された各領域に時系列に並べて前記表示部に表示し、ユーザによって前記操作部を介してスクロール操作が行われると、前記現在時刻表示欄と前記分割された各領域に表示される前記過去項目、及び前記未来項目とを時系列に並べた状態で、画面上でスクロール表示し、前記制御部は、前記過去項目と前記未来項目とが前記表示部に表示される際に、前記スクロール表示によって、前記現在時刻表示欄が前記表示部の画面の端に達した場合には、前記現在時刻表示欄をそこに留め、それ以外の前記過去項目、または／及び前記未来項目をスクロールさせることにより、常に前記現在時刻表示欄を画面上に残すことを特徴とする付記１から４のいずれかに記載の情報端末装置である。
【００７２】
（付記６）
時間情報が関連付けられた未来項目と過去項目とを、それぞれの時間情報に基づいて、現在時刻を示す現在時刻表示欄を境界に分割された各領域に時系列に並べて提示するステップと、前記未来項目と前記過去項目とを制御する契機を検出するステップと、前記契機が検出されると、前記未来項目と前記過去項目との登録、削除、移動、編集、提示方法を制御するステップとを含むことを特徴とする時系列情報管理方法である。
【００７３】
（付記７）
コンピュータに、時間情報が関連付けられた未来項目と過去項目とを、それぞれの時間情報に基づいて、現在時刻を示す現在時刻表示欄を境界に分割された各領域に時系列に並べて提示する提示機能、前記未来項目と前記過去項目とを制御する契機を検出する契機検出機能、前記契機が検出されると、前記未来項目と前記過去項目との登録、削除、移動、編集、提示方法を制御する制御機能を実行させることを特徴とするプログラムである。
【００７４】
（付記８）
前記提示部は、前記過去項目と前記未来項目とが提示される際に、ユーザ自身に関する前記過去項目と前記未来項目と、それ以外の前記過去項目と前記未来項目とを区別して提示することを特徴とする付記１から６のいずれかに記載の情報端末装置である。
【符号の説明】
【００７５】
１、５０  情報処理装置
１０  通信部
１１  撮影部
１２  メモリ
１３  表示部
１４  操作部
１５  ＲＴＣ
１６  制御部
５１  提示部
５２  契機検出部
５３  制御部
【図１】
2014064863.tif 000003
【図２】
2014064863.tif 000004
【図３】
2014064863.tif 000005
【図４】
2014064863.tif 000006
【図５】
2014064863.tif 000007
【図６】
2014064863.tif 000008
【図７】
2014064863.tif 000009
【図８】
2014064863.tif 000010
【図９】
2014064863.tif 000011
【図１０】
2014064863.tif 000012
【国際調査報告】
2014064863.tif 000013
2014064863.tif 000014
2014064863.tif 000015
2014064863.tif 000016